(57)【要約】【課題】情報処理装置に設定される各種設定値の設定を支援する。【解決手段】複数の設定項目に対して設定された設定値に基づき動作する情報処理装置において、複数の設定項目それぞれが、所定の参照先と独立して設定値を設定可能な個別設定項目であるか、所定の参照先と共通の設定値が設定される共通設定項目であるか、を指定する設定識別情報を生成する生成手段と、複数の設定項目に対する複数の設定値を所定の参照先から取得する取得手段と、生成された設定識別情報に基づいて、取得された複数の設定値を、それぞれが個別設定項目と共通設定項目との何れに対応する設定値であるかを識別可能に表示部に表示する表示制御手段と、を有する。【選択図】図４
2018011199.tif 000002
【特許請求の範囲】
【請求項１】
複数の設定項目に対して設定された設定値に基づき動作する情報処理装置であって、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成手段と、
前記複数の設定項目に対する複数の設定値を前記所定の参照先から取得する取得手段と、
前記生成手段により生成された前記設定識別情報に基づいて、前記取得手段により取得された前記複数の設定値を、それぞれが前記個別設定項目と前記共通設定項目との何れに対応する設定値であるかを識別可能に表示部に表示する表示制御手段と、
を有することを特徴とする情報処理装置。
【請求項２】
前記取得手段により取得された前記複数の設定値を初期値として前記複数の設定項目に対する設定値を設定する設定手段を更に有する
ことを特徴とする請求項１に記載の情報処理装置。
【請求項３】
前記設定手段は、前記個別設定項目に対応する設定値に対して前記初期値からの変更を受け付ける
ことを特徴とする請求項２に記載の情報処理装置。
【請求項４】
被写体の撮像を行う撮像手段と、
前記撮像手段により得られた画像データを、前記設定手段により設定された設定値及び前記設定識別情報と共に記憶部に記憶する記憶制御手段と、
を更に有する
ことを特徴とする請求項２又は３に記載の情報処理装置。
【請求項５】
前記表示制御手段は、前記個別設定項目に対応する設定値が前記所定の参照先と同一の場合と同一でない場合とで異なる表示を行う
ことを特徴とする請求項１乃至４の何れか１項に記載の情報処理装置。
【請求項６】
前記所定の参照先は、外部機器であり、
前記取得手段は、有線通信または無線通信を介して前記外部機器から前記複数の設定値を取得する
ことを特徴とする請求項１乃至５の何れか１項に記載の情報処理装置。
【請求項７】
前記所定の参照先は、前記情報処理装置の記憶部である
ことを特徴とする請求項１乃至５の何れか１項に記載の情報処理装置。
【請求項８】
複数の設定項目に対して設定された設定値に基づき動作する情報処理装置であって、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成手段と、
前記複数の設定項目に対する複数の設定値を設定する設定手段と、
前記複数の設定値と前記設定識別情報とを外部機器に送信する送信手段と、
を有することを特徴とする情報処理装置。
【請求項９】
複数の設定項目に対して設定された設定値に基づき動作する情報処理装置であって、
前記複数の設定項目それぞれが、所定の参照先と独立して設定値を設定可能な個別設定項目であるか、前記所定の参照先と共通の設定値が設定される共通設定項目であるか、を指定する設定識別情報と、前記複数の設定項目に対する複数の設定値と、を外部機器から受信する受信手段と、
前記受信手段により受信された前記設定識別情報に基づいて、前記受信手段により受信された前記複数の設定値を、それぞれが前記個別設定項目と前記共通設定項目との何れに対応する設定値であるかを識別可能に表示部に表示する表示制御手段と、
を有することを特徴とする情報処理装置。
【請求項１０】
複数の設定項目に対して設定された設定値に基づき動作する情報処理装置の制御方法であって、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成工程と、
前記複数の設定項目に対する複数の設定値を前記所定の参照先から取得する取得工程と、
前記生成工程により生成された前記設定識別情報に基づいて、前記取得工程により取得された前記複数の設定値を、それぞれが前記個別設定項目と前記共通設定項目との何れに対応する設定値であるかを識別可能に表示部に表示する表示制御工程と、
を有することを特徴とする情報処理装置の制御方法。
【請求項１１】
複数の設定項目に対して設定された設定値に基づき動作する情報処理装置の制御方法であって、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成工程と、
前記複数の設定項目に対する複数の設定値を設定する設定工程と、
前記複数の設定値と前記設定識別情報とを外部機器に送信する送信工程と、
を有することを特徴とする情報処理装置の制御方法。
【請求項１２】
複数の設定項目に対して設定された設定値に基づき動作する情報処理装置の制御方法であって、
前記複数の設定項目それぞれが、所定の参照先と独立して設定値を設定可能な個別設定項目であるか、前記所定の参照先と共通の設定値が設定される共通設定項目であるか、を指定する設定識別情報と、前記複数の設定項目に対する複数の設定値と、を外部機器から受信する受信工程と、
前記受信工程により受信された前記設定識別情報に基づいて、前記受信工程により受信された前記複数の設定値を、それぞれが前記個別設定項目と前記共通設定項目との何れに対応する設定値であるかを識別可能に表示部に表示する表示制御工程と、
を有することを特徴とする情報処理装置の制御方法。
【請求項１３】
コンピュータを、請求項１乃至９の何れか１項に記載の情報処理装置の各手段として機能させるためのプログラム。
【請求項１４】
画像データと、該画像データを撮像したカメラに設定された複数の設定値と、該複数の設定値それぞれが、他のカメラと独立して設定値を設定可能な個別設定項目であるか、前記他のカメラと共通の設定値が設定される共通設定項目であるか、を指定する設定識別情報と、を含む画像記録フォーマット。
【発明の詳細な説明】
【技術分野】
【０００１】
本発明は、情報処理装置に設定される各種設定値の設定を支援する技術に関するものである。
【背景技術】
【０００２】
デジタルカメラ（以下、カメラ）では機能の増加に伴い、機能を使用するために設定しなければならない設定項目も増加する傾向にある。また、複数台のカメラを用いて撮影するにあたって、撮影目的に応じて複数台のカメラを全く同じ設定にする場合もあれば、一部の設定についてカメラ毎に設定する場合もある。高ダイナミックレンジ（ＨＤＲ）撮影では、例えば、シャッタースピードをカメラ毎に設定し、他の設定項目を同じにして撮影する。
【０００３】
複数台のカメラを設定する場合、特に、設定項目が多い場合には、設定ミスが発生する可能性がある。また、複数人で同一カメラを使用する場合、他者（前の使用者）が設定を変更したことに気づかずに撮影してしまう可能性がある。特許文献１には、複数台のカメラに対する設定を容易にするために、全ての設定項目を無線もしくは有線の通信により別のカメラに送信する技術が開示されている。
【先行技術文献】
【特許文献】
【０００４】
【特許文献１】特開２００７−１９９８６号公報
【発明の概要】
【発明が解決しようとする課題】
【０００５】
しかしながら、上述の特許文献１に記載の技術においては、複数のカメラ間で設定項目を複製した際、複製した設定項目とカメラ個別の設定項目とを区別することができない。そのため、カメラ間で同一の設定値とすべき設定項目をユーザが誤って変更する可能性がある。
【０００６】
本発明はこのような問題を鑑みてなされたものであり、情報処理装置に設定される各種設定値の設定を支援する技術を提供することを目的とする。
【課題を解決するための手段】
【０００７】
上述の問題点を解決するため、本発明に係る情報処理装置は以下の構成を備える。すなわち、複数の設定項目に対して設定された設定値に基づき動作する情報処理装置は、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成手段と、
前記複数の設定項目に対する複数の設定値を前記所定の参照先から取得する取得手段と、
前記生成手段により生成された前記設定識別情報に基づいて、前記取得手段により取得された前記複数の設定値を、それぞれが前記個別設定項目と前記共通設定項目との何れに対応する設定値であるかを識別可能に表示部に表示する表示制御手段と、
を有する。
【０００８】
又は、複数の設定項目に対して設定された設定値に基づき動作する情報処理装置は、
前記複数の設定項目それぞれが、所定の参照先と独立して設定値を設定可能な個別設定項目であるか、前記所定の参照先と共通の設定値が設定される共通設定項目であるか、を指定する設定識別情報を生成する生成手段と、
前記複数の設定項目に対する複数の設定値を設定する設定手段と、
前記複数の設定値と前記設定識別情報とを外部機器に送信する送信手段と、
を有する。
【０００９】
あるいは、複数の設定項目に対して設定された設定値に基づき動作する情報処理装置は、
前記複数の設定項目それぞれが、所定の参照先と独立して設定値を設定可能な個別設定項目であるか、前記所定の参照先と共通の設定値が設定される共通設定項目であるか、を指定する設定識別情報と、前記複数の設定項目に対する複数の設定値と、を外部機器から受信する受信手段と、
前記受信手段により受信された前記設定識別情報に基づいて、前記受信手段により受信された前記複数の設定値を、それぞれが前記個別設定項目と前記共通設定項目との何れに対応する設定値であるかを識別可能に表示部に表示する表示制御手段と、
を有する。
【発明の効果】
【００１０】
本発明によれば、情報処理装置に設定される各種設定値の設定を支援する技術を提供することができる。
【図面の簡単な説明】
【００１１】
【図１】第１実施形態に係る情報処理装置（カメラＢ）の構成を示すブロック図である。
【図２】制御部及び表示部の詳細構成を示すブロック図である。
【図３】カメラＡにおける撮影条件の設定画面を示す図である。
【図４】第１実施形態におけるカメラＢの処理フローチャートである。
【図５】カメラＢにおける撮影機能の設定画面を示す図である。
【図６】カメラＢにおける参照先の設定画面を示す図である。
【図７】カメラＢにおける撮影条件の設定画面を示す図である。
【図８】設定識別情報を説明する図である。
【図９】共通設定項目に対する変更操作時のメッセージ表示を示す図である。
【図１０】変形例のカメラＢにおける撮影機能の設定画面を示す図である。
【図１１】第２実施形態における情報処理装置（カメラＡ，カメラＢ）の構成を示すブロック図である。
【図１２】第２実施形態におけるカメラＡ及びカメラＢそれぞれの処理フローチャートである。
【発明を実施するための形態】
【００１２】
以下に、図面を参照して、この発明の好適な実施の形態を詳しく説明する。なお、以下の実施の形態はあくまで例示であり、本発明の範囲を限定する趣旨のものではない。
【００１３】
（第１実施形態）
本発明に係る情報処理装置の第１実施形態として、デジタルカメラ（以下、単にカメラ）を例に挙げて以下に説明する。特に、カメラＡにおいて撮影条件である設定値をあらかじめ設定しておき、カメラＢがカメラＡから設定値を取得する形態について説明する。
【００１４】
＜装置構成＞
図１は、第１実施形態に係る情報処理装置であるカメラＢの構成を示すブロック図である。なお、以下では、カメラＡも同様の構成であるとして説明する。
【００１５】
撮像部１０１は、被写体を撮像し画像データを出力する機能部であり、ＣＣＤやＣＭＯＳなどの撮像素子、レンズなどの光学部材および各種電子回路を含む。バッファメモリ１０２は、撮影した画像データを格納する前バッファである。画像処理部１０３は、バッファメモリ１０２に格納された画像データに対し画像処理および圧縮処理を行う機能部である。バッファメモリ１０４は、画像処理部１０３による画像処理および圧縮処理後の画像データを格納する後バッファである。操作部１０５は、カメラ本体に対する各種操作をユーザから受け付ける機能部である。
【００１６】
表示部１０６は、撮影画像の表示およびカメラ操作パラメータの設定や確認のためのメニュー表示や警告等の表示をする。例えば、カメラの背面の液晶モニタとして構成される。表示制御部１０７は、表示部１０６への表示を制御する。制御部１０８は、カメラ全体を動作を統括的に制御する。インタフェース１０９は、フラッシュメモリなどの外部記憶媒体と接続するためのインタフェースである。通信部１１０は、有線または無線で外部機器と通信する機能部である。
【００１７】
図２は、カメラＢにおける制御部及び表示部の詳細構成を示すブロック図である。
【００１８】
撮影機能設定部２０１は、撮影機能を設定する。ここで、撮影機能とは、通常撮影、ＨＤＲ撮影、距離計測などのカメラの利用目的（用途）を意味する。
【００１９】
設定識別情報生成部２０２は、各設定項目が、所定の参照先と独立して設定値を設定可能な個別設定項目であるか、所定の参照先と共通の設定値が設定される共通設定項目であるか、を指定する設定識別情報を生成する。設定識別情報については図５及び図６を参照して後述する。
【００２０】
なお、設定項目としては、以下では、撮影モード、絞り値、シャッタースピード、露出補正、ＩＳＯ感度などの撮影条件に関して説明を行うが、他の設定項目に対して適用してもよい。例えば、記録フォーマット、記録画素数、アスペクト比、ホワイトバランス、ノイズ低減、現像パラメータなどの記録条件に関する設定項目でもよい。現像パラメータには、トーンカーブ、シャープネス、コントラストなどが含まれる。更に、オートフォーカス測距、ドライブモード、ライブビュー機能などのその他の設定項目でもよい。ドライブモードには、撮影枚数、撮影速度などの設定が含まれ、ライブビュー機能には、撮影画像の確認、撮影画像の確認時などの設定が含まれる。
【００２１】
対応情報設定部２０３は、各設定項目に対する設定値の取得するための参照先を設定する。参照先としては、例えばカメラＡなどの外部機器、自身（カメラＢ）の記憶部（インタフェース１０９を介して接続される外部記憶媒体を含む）などが指定される。
【００２２】
設定情報取得部２０４は、通信部１０９を介して、対応情報設定部２０３により設定された参照先から撮影情報を取得する。ここで、撮影情報とは、各設定項目の設定値を意味する。設定表示部２０６は、各設定項目およびその設定値を表示する。図７を参照して後述するように、個別設定項目及び共通設定項目を互いに異なる表示方法で表示する。
【００２３】
画像記録部２０５は、撮像部１０１による撮影により得られた画像データを、当該撮影に関連する複数の設定値と設定識別情報とをバッファ１０２に記録する。
【００２４】
＜高ダイナミックレンジ（ＨＤＲ）撮影＞
複数のカメラを用いた撮影において、一部の設定項目はカメラ毎に設定し、他の設定項目はカメラ間で共通の設定にする場合がある。複数台のカメラを使用してＨＤＲ撮影を行う場合には、例えば、シャッタースピードのみをカメラ毎に設定し、他の設定項目は全カメラで共通にして撮影する。複数カメラにおけるこのような撮影用途をふまえ、以降、カメラ毎に設定する設定項目を個別設定項目と称し、また、他のカメラと同一の設定値とする設定項目を共通設定項目と称する。
【００２５】
第１実施形態では、２台のカメラを使用してＨＤＲ撮影を行う場合について説明する。ここでは、カメラＡは高輝度撮影用のカメラであり、カメラＢは低輝度撮影用のカメラであるとし、２台のカメラのシャッタースピードの調整により露出調整を行い、ＨＤＲ撮影を行う。高輝度撮影とは被写体の高輝度部分に対して露出調整した撮影であり、低輝度撮影とは被写体の低輝度部分に対して露出調整した撮影である。そのため、カメラＡのシャッタースピードと比べてカメラＢのシャッタースピードは遅く設定されることになる。シャッタースピード以外の他の設定項目は２台のカメラ間で同一の設定値である。すなわち、この例においては、個別設定項目はシャッタースピード、共通設定項目はシャッタースピード以外の設定項目となる。なお、ＨＤＲ撮影する際の露出調整手段として、シャッタースピードの変更以外にも、ＮＤフィルタの変更、ＩＳＯ感度の変更、露出補正の変更などを用いてもよい。
【００２６】
＜装置の動作＞
図４は、第１実施形態におけるカメラＢの処理フローチャートである。また、図５は、カメラＢにおける撮影機能の設定画面を示す図である。
【００２７】
ここでは、図４に示すカメラＢの動作開始前に、予めカメラＡにおいて図３に示す設定値が設定済みであることを想定する。すなわち、撮影モードが「Ｔｖ（シャッタースピード優先）」、絞り値が「８．０」、シャッタースピードが「１／１０００」、露出補正が「±０」、ＩＳＯ感度が「１００」に設定されている。
【００２８】
Ｓ４０１では、撮影機能設定部２０１は、撮影機能を設定する。上述のように、撮影機能とは、カメラの利用目的（用途）を意味する。具体的には、表示制御部１０７は、撮影機能設定部２０１からの指示に基づいて、図５（ａ）のような撮影機能設定画面５０１を表示部１０６に表示する。撮影機能設定部２０１は、操作部１０５を介したユーザ入力に基づいて撮影機能を設定する。ここでは、撮影機能設定部２０１は、ユーザ入力に基づいて撮影機能として「ＨＤＲ撮影」を設定する。画面５０１のボタン５０２の選択により撮影機能の設定は完了する。
【００２９】
Ｓ４０２では、設定識別情報生成部２０２は、設定識別情報を生成する。上述したように、設定識別情報とは、各設定項目が個別設定項目であるか共通設定項目であるかを示す情報である。ここでは、Ｓ４０１におけるボタン５０２の選択の後、ＨＤＲ撮影機能における詳細の設定をするために、図５（ｂ）に示すように、ＨＤＲ撮影設定画面６０１を表示する。図５（ｂ）にてボタン６０２を選択されると、表示制御部１０７は、図５（ｃ）に示すような個別設定項目選択画面７０１を表示部１０６に表示する。個別設定項目選択画面７０１において操作部１０５を介したユーザ入力を受け付けることにより、設定識別情報生成部２０２は、個別設定項目を決定し設定識別情報を生成する。
【００３０】
ここでは、撮影機能が「ＨＤＲ撮影」を設定し、複数のカメラ間でシャッタースピードを変更して撮影する。そこで、図５（ｃ）に示すように、個別設定項目として「シャッタースピード」がユーザにより選択される。もちろん、「ＨＤＲ撮影」が設定された場合に自動的に「シャッタースピード」を選択するよう構成してもよい。なお、シャッタースピード以外の項目を、ユーザ入力により追加選択することも可能である。
【００３１】
図５（ｃ）の画面で選択されていない設定項目は共通設定項目となる。設定後、画面７０１にてボタン７０２が選択されると、表示制御部１０７は、画面６０１を再表示する。そして、設定識別情報生成部２０２は、図５（ｄ）に示すようなデータを設定識別情報として生成する。
【００３２】
Ｓ４０３では、対応情報設定部２０３は、対応情報を設定する。対応情報とは、各設定項目に対する設定値の取得するための参照先を示す情報である。図５（ｂ）のボタン６０３がユーザ入力により選択されると、図６に示すような参照先の候補が表示される。ここでは、カメラＢと無線通信可能な他のカメラがリスト表示される。そして、対応情報設定部２０３は、操作部１０５を介したユーザからの入力に基づいて、対応情報を設定する。ここでは、対応情報として「カメラＡ」を設定する。設定後、画面９０１にてボタン９０２が選択されると画面６０１を再表示する。
【００３３】
また、上述の説明においては、対応情報として他のカメラを参照したが、対応情報はこれに限るものではない。例えば、カメラＢ自身の記憶部に格納された前回撮影時の設定値や外部ファイルに記述された設定値を参照してもよい。
【００３４】
Ｓ４０４では、設定情報取得部２０４は、Ｓ４０３にて対応情報として設定された「カメラＡ」から、撮影情報（複数の設定項目に対する複数の設定値）を取得する。例えば、カメラＢは、有線通信または無線通信を介してカメラＡから撮影情報を取得可能である。
【００３５】
Ｓ４０５では、設定表示部２０６は、Ｓ４０４で取得した撮影情報を表示部１０６に表示する。具体的には、Ｓ４０２で設定した設定識別情報に基づいて個別設定項目と共通設定項目を識別可能に表示する。すなわち、Ｓ４０５の処理が完了した状態では、すべての設定項目の設定値はカメラＡと共通である一方で、表示形態がシャッタースピードのみ異なる。
【００３６】
図７は、カメラＢにおける撮影条件の設定画面を示す図である。図７（ａ）は、Ｓ４０５直後の設定画面の一例を示す図である。ここでは、個別設定項目に対する設定値を黒文字で表示し、共通設定項目に対する設定値を白文字で示している。すなわち、ここでは、シャッタースピードのみが個別設定項目であるため、シャッタースピードの設定値である「１／１０００」のみが黒文字での表示となる。
【００３７】
ところで、本実施形態におけるＨＤＲ撮影においては、個別設定項目であるシャッタースピードの設定値は、カメラＡとカメラＢとでは異なる値を設定しなければならない。そこで、ここでは、シャッタースピードの設定値が参照先であるカメラＡと同一の設定値である場合、表示領域１００１の背景をグレー表示としている。これにより、ユーザは、個別設定項目であるシャッタースピードの設定値をカメラＡとは異なる値に設定することの必要性を認識することが可能となる。
【００３８】
なお、ここでは、個別設定項目と共通設定項目とを区別する表示形態として、黒文字と白文字とで表示する例について説明したが、これに限定されるわけではない。例えば、他の色の組み合わせを用いてもよいし、フォントやコントラストを変える構成でもよい。また、共通設定項目を表示せずに、個別設定項目のみを表示する形態でもよい。
【００３９】
更に、上述の説明においてはＳ４０５での表示の際に、個別設定項目であるシャッタースピードの初期値としてカメラＡの設定値を表示したが、初期値はこれに限るものではない。例えば、カメラＡの設定値をもとに、カメラＢの設定値を自動表示してもよい。
【００４０】
例えば、取得したカメラＡのシャッタースピードの設定値が「１／１０００」であったとする。その場合、カメラＢは、カメラＡが高輝度撮影用のカメラであると判定し、自身（カメラＢ）を低輝度撮影用のカメラと判定する。その場合、カメラＢは、例えば「１／１０００」より遅い「１／５０」をカメラＢのシャッタースピードの初期値として自動表示してもよい。
【００４１】
Ｓ４０６では、制御部１０８は、ユーザからの設定に基づいてカメラＢの個別設定項目の設定値を設定する。すなわち、ここでは、シャッタースピードの設定値を設定する。ユーザは、設定表示部２０６が表示部１０６に表示する設定画面を確認しながら、操作部１０５を操作して設定値を設定する。ここでは、カメラＢをＨＤＲ撮影時の低輝度撮影用のカメラとして使用するので、図７（ｂ）に示すようにカメラＡの「１／１０００」より遅い「１／５０」をカメラＢのシャッタースピードの設定値として設定する。
【００４２】
また、Ｓ４０６におけるカメラＢの設定において、共通設定項目の操作に関し、共通設定項目をロックして操作不可としてもよい。また、ユーザが共通設定項目に対する設定値に対して操作しようとする場合、図９に示すように、共通設定項目であることを示すメッセージを表示部１０６に表示し、ユーザに注意を促すよう構成してもよい。
【００４３】
カメラＡの値とは異なる値が設定された場合では、シャッタースピードのグレー背景は解除し、白背景とする。これにより、ユーザは、個別設定項目であるシャッタースピードの設定値はカメラＡとは異なる値に設定された状態にあることを認識可能となる。Ｓ４０６が完了した状態では、複数の設定値のうちシャッタースピードの設定値のみが参照先であるカメラＡとは異なる。また、シャッタースピードの設定値のみ、他の設定項目（図７（ｂ）では、撮影モード、絞り値、露出補正、ＩＳＯ感度）の設定値と表示形態が異なる。
【００４４】
Ｓ４０７では、撮影部１０１は、設定された撮影条件にて撮影を実行する。Ｓ４０８では、制御部１０８は、撮影データをバッファメモリ１０２に記憶するよう記憶制御を行う。ここで、撮影データは、上述の設定識別情報が関連付けられて格納される。例えば、ＥＸＩＦ（EXchangeable Image file Format）に基づく画像記録フォーマットの画像データに埋め込んでもよい。
【００４５】
図８は、設定識別情報を説明する図である。撮影データには、当該撮影データに関連する属性情報として、撮影情報１２０４とともに、設定識別情報を指す１２０１〜１２０３が関連付けられる。
【００４６】
個別設定項目情報１２０１は、個別設定項目に該当する番号のリストである。共通設定項目情報１２０２は、共通設定項目に該当する番号のリストである。ここで、番号と設定項目との対応は、例えば撮影情報１２０４に記述する。ここでは、個別設定項目はシャッタースピードが該当するため、個別設定項目情報１２０１には設定番号の「２」が記録されている。
【００４７】
対応情報１２０３は、参照設定を行う際の参照先の識別情報である。Ｓ４０３にて対応情報としてカメラＡを設定したので、対応情報１２０３には「Ａ」と記録する。カメラＡに関する記録情報としては、カメラの機種、個体番号を記録してもよい。機種、個体番号については、Ｓ４０４での撮影情報の取得とともに取得すればよい。
【００４８】
以上説明したとおり第１実施形態によれば、カメラＢにおいて、個別設定項目としてシャッタースピードを設定し、参照先としてカメラＡを設定しカメラＡの複数の設定値を取得した。そして、カメラＢは、個別設定項目（シャッタースピード）の設定値と共通設定項目（その他の設定項目）の設定値とを異なる表示形態で表示した。さらに、カメラＢは、画像データを、カメラＢに設定された複数の設定値及び設定識別情報と共に記録した。
【００４９】
この構成により、ユーザは、複数の設定項目それぞれが共通設定項目であるか個別設定項目であるかを容易に認識することが出来る。そのため、ユーザは、複数の設定値のうち変更すべき設定値を容易に認識することが出来、設定ミスが抑制されることになる。
【００５０】
また、設定識別情報を画像データとともに記録することで、撮影後の画像データにおいて、カメラ間で個別設定／共通設定する設定項目に対する設定値を容易に認識することが可能となる。例えば、撮影後のＨＤＲ画像合成時に、カメラＢの画像データが、シャッタースピードを除く設定がカメラＡと共通の設定で撮影されたデータか否かを確認可能となる。
【００５１】
（変形例）
上述の第１実施形態では、複数のカメラを用いて撮影する例として、ＨＤＲ撮影について説明した。具体的には、シャッタースピードのみを個別設定項目とし、他の設定項目については共通設定項目とした。しかしながら、複数のカメラを用いた撮影はＨＤＲ撮影に限定されるものではない。例えば、複数のカメラを用いた「距離推定」が挙げられる。
【００５２】
具体的には、絞り値を変更して同一被写体を撮影し、撮影画像のボケ具合より被写体までの距離を推定する手法がある。すなわち、この手法を用いる場合、「絞り値」のみを個別設定項目とし、他の設定項目については共通設定項目として、同一被写体を撮影することとなる。
【００５３】
図１０は、変形例のカメラＢにおける撮影機能の設定画面を示す図である。例えば、カメラＢにて、図１０（ａ）のような個別設定項目選択画面にて個別設定項目として「絞り値」を設定する。また、図１０（ｂ）のように、設定表示部２０６は、絞り優先（Ａｖ）モードにおいて「絞り値」のみを他の設定項目とは異なる表示にして表示部１０６に表示するとよい。
【００５４】
（第２実施形態）
第２実施形態では、ＨＤＲ撮影システムを構成する２台のカメラ（カメラＡ、カメラＢ）の双方で、共通設定項目と個別設定項目とを区別して表示する形態について説明する。すなわち、第１実施形態においては、参照先であるカメラＡにおいては共通設定項目と個別設定項目とを区別しなかったが、第２実施形態においては、参照先であるカメラＡにおいても共通設定項目と個別設定項目とを区別する。
【００５５】
＜装置構成＞
図１１は、第２実施形態における情報処理装置であるカメラＡ及びカメラＢの構成を示すブロック図である。特に、カメラＡ（装置１５１０）及びカメラＢ（装置１５１１）それぞれにおける表示部及び制御部の構成を示している。なお、第１実施形態（図２）と同様の機能部には同じ符号を付して説明を省略する。
【００５６】
撮影条件設定部１５０１は、撮影モード、シャッタースピードなどの各設定項目の設定値を設定する。対応情報設定部１５０２は、対応情報を指定する。カメラＡにおける対応情報とは、設定情報の送信先を示す情報である。
【００５７】
設定情報送信部１５０３は、各設定項目の設定値及び設定識別情報を外部機器へ送信する機能部である。設定情報取得部１５０４は、各設定項目の設定値及び設定識別情報を外部機器から取得する機能部である。
【００５８】
＜カメラＡ及びカメラＢにおける設定動作＞
ここでは、カメラＡにおいて共通設定項目と個別設定項目を設定し、設定識別情報を生成する。そして、カメラＡは、カメラＢに対して各設定項目の設定値とともに設定識別情報を提供する。カメラＢは、カメラＡから取得した設定識別情報に基づいて、カメラＡから取得した各設定項目の設定値を識別可能に表示する。
【００５９】
図１２は、第２実施形態におけるカメラＡ及びカメラＢそれぞれの処理フローチャートである。図１２（ａ）はカメラＡ、図１２（ｂ）はカメラＢでの動作をそれぞれ示している。
【００６０】
カメラＡにおいて、Ｓ１６０１では、撮影条件設定部１４０１は、撮影モード、シャッタースピード、などの各設定項目に対する設定値を設定する。Ｓ１６０２〜Ｓ１６０４は、第１実施形態におけるＳ４０２，Ｓ４０５，Ｓ４０６と同様であるため説明は省略する。
【００６１】
Ｓ１６０５では、対応情報設定部１５０２は、対応情報を設定する。ここでは、カメラＡでの設定情報をカメラＢに送信するため、対応情報は「カメラＢ」となる。例えば、図６と同様の設定画面を介したユーザ入力により、対応情報としてカメラＢを設定する。Ｓ１６０６では、設定情報送信部１５０３は、撮影情報（複数の設定値）及び設定識別情報を送信する。Ｓ１６０７〜Ｓ１６０８は、第１実施形態におけるＳ４０７〜Ｓ４０８と同様であるため説明は省略する。
【００６２】
一方、  カメラＢにおいて、Ｓ１６１１では、対応情報設定部２０３は、対応情報を設定する。ここでは、カメラＡでの設定情報を受信するため、対応情報は「カメラＡ」となる。詳細は第１実施形態におけるＳ４０３と同様であるため説明は省略する。
【００６３】
Ｓ１６１２では、設定情報取得部１４０３は、撮影情報及び設定識別情報を取得する。Ｓ１６１３では、設定表示部２０６は、Ｓ１６１２で取得した各設定項目の設定値を、設定識別情報に基づいて、個別設定項目と共通設定項目とを区別可能に表示部１０６に表示する。表示形態の詳細は第１実施形態におけるＳ４０５と同様であるため説明は省略する。Ｓ１６１４〜Ｓ１６１６は、第１実施形態におけるＳ４０６〜Ｓ４０８と同様であるため説明は省略する。
【００６４】
以上説明したとおり第２実施形態によれば、カメラＡにおいて、個別設定項目としてシャッタースピードを設定し、カメラＡの複数の設定値をカメラＢに送信する。これにより、カメラＡにおいては、自身で指定した複数の設定値を、自身で指定した設定識別情報に基づいて、個別設定項目の設定値と共通設定項目の設定値とを異なる表示形態で表示した。そして、カメラＢは、カメラＡから取得した設定識別情報に基づいて、カメラＡから取得した各設定項目の設定値を識別可能に表示した。
【００６５】
また、カメラＡ及びカメラＢはそれぞれ、撮影により得られた画像データを、それぞれのカメラに設定された複数の設定値及び設定識別情報と共に記録した。この構成により、カメラＡ及びカメラＢにより生成された画像データにおいて、カメラ間で個別設定／共通設定する設定項目に対する設定値を容易に認識することが可能となる。
【００６６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６７】
２０１  撮影機能設定部；  ２０２  設定識別情報生成部；  ２０３  対応情報設定部；  ２０４  設定情報取得部；  ２０５  画像記録部；  ２０６  設定表示部
【図１】
2018011199.tif 000003
【図２】
2018011199.tif 000004
【図３】
2018011199.tif 000005
【図４】
2018011199.tif 000006
【図５】
2018011199.tif 000007
【図６】
2018011199.tif 000008
【図７】
2018011199.tif 000009
【図８】
2018011199.tif 000010
【図９】
2018011199.tif 000011
【図１０】
2018011199.tif 000012
【図１１】
2018011199.tif 000013
【図１２】
2018011199.tif 000014